(57)【要約】【課題】簡単な構成で確実に荷役装置の傾動規制を行うようにする。【解決手段】傾動可能なレシーバタンク２２を有する吸引車１において、伸縮動作によりレシーバタンク２２を傾動させる傾動シリンダ２４を設け、傾動シリンダ２４の伸縮動作を操作する脱着可能な傾動レバーを有する操作盤３０を運転室外に設ける。さらにレシーバタンク２２が傾いた状態から元の状態へ戻すのを規制する傾動ストッパ５０を設け、操作盤３０から外された傾動レバーで傾動ストッパ５０の一部を構成する。【選択図】図１
2014169062.tif 000002
【特許請求の範囲】
【請求項１】
傾動可能な荷役装置を有する荷役車両において、
伸縮動作により上記荷役装置を傾動させる傾動シリンダと、
上記傾動シリンダの伸縮動作を操作する脱着可能な傾動レバーを有する操作部と、
上記荷役装置に当接し該荷役装置が傾いた状態から元の状態へ戻るのを規制する傾動規制部とを備え、
上記操作部から外された上記傾動レバーが、上記傾動規制部の一部を構成する
ことを特徴とする荷役車両。
【請求項２】
請求項１に記載の荷役車両において、
上記操作部は、キャブ外に設けられた操作盤であることを特徴とする荷役車両。
【請求項３】
請求項１又は２に記載の荷役車両において、
上記操作部から外された上記傾動レバー自身が、上記荷役装置に当接することで該荷役装置の動きを規制する規制ブロックとなるように構成されている
ことを特徴とする荷役車両。
【請求項４】
請求項１又は２に記載の荷役車両において、
上記操作部から外された上記傾動レバーが、上記荷役装置に当接する上記傾動規制部を固定するように構成されている
ことを特徴とする荷役車両。
【請求項５】
請求項１又は２に記載の荷役車両において、
上記傾動規制部は、上記荷役装置の傾動を規制する起立状態とロックされた収納状態との間で切換可能に構成され、
上記操作部から外された上記傾動レバーが、上記傾動規制部のロックを解除するように構成されている
ことを特徴とする荷役車両。
【請求項６】
請求項１乃至５のいずれか１つに記載の荷役車両において、
上記荷役装置に設けられた開閉可能な開閉扉と、
伸縮動作により上記開閉扉を開閉させる開閉シリンダと、
上記操作部に設けられ、上記開閉シリンダの伸縮動作を操作する着脱可能な開閉レバーと、
上記開閉シリンダが縮小するのを防いで上記開閉扉が開いた状態から閉じ状態へ戻るのを規制する開閉規制部とを備え、
上記操作部から外された上記開閉レバーが、上記開閉規制部の一部を構成する
ことを特徴とする荷役車両。
【請求項７】
請求項１乃至６のいずれか１つに記載の荷役車両において、
上記荷役装置は、レシーバタンクであり、
上記レシーバタンクの後端に開閉扉が設けられた吸引車である
ことを特徴とする荷役車両。
【発明の詳細な説明】
【技術分野】
【０００１】
本発明は、傾動可能な荷役装置を有する荷役車両に関するものである。
【背景技術】
【０００２】
この種の荷役車両では、例えば、特許文献１のように、上昇させているダンプトラックのベッセルが事故などによって下降するのを防止するストッパが知られている。このストッパにより、シリンダの油が抜けた場合などにベッセルの自重による下降が防止されるようになっている。
【０００３】
また、特許文献２のような吸引車は、傾動可能なレシーバタンクと、伸縮動作により荷役装置を傾動させる傾動シリンダと、レシーバタンクに設けられた開閉可能な開閉扉と、伸縮動作により開閉扉を開閉させる開閉シリンダとを備えている。
【先行技術文献】
【特許文献】
【０００４】
【特許文献１】実開平６−９１３号公報
【特許文献２】特開２０１１−４３０２８号公報
【発明の概要】
【発明が解決しようとする課題】
【０００５】
特許文献２のように傾動シリンダによって傾動動作を行う構造には、水平に戻す場合にストッパを設けたまま傾動シリンダを縮小させると、ストッパに過大な荷重が加わり、ストッパ等が損傷するというという問題がある。
【０００６】
特に、吸引車は、レシーバタンクを複動式の傾動シリンダにて傾動させる構造になっている。これにより、吸引車は、傾動後のレシーバタンクを降下させる際、自重で荷台を降下させるダンプトラックよりも降下方向への力が入るので、ストッパの損傷が起きやすい。
【０００７】
さらにストッパ等の損傷を防ぐためにストッパを取り付けたのを検知して傾動シリンダが作動しないようにすることは可能であるが、配線、配管等で部品点数が増えて構成が複雑となる。
【０００８】
本発明は、かかる点に鑑みてなされたものであり、その目的とするところは、簡単な構成で確実に荷役装置の傾動規制を行うことにある。
【課題を解決するための手段】
【０００９】
上記の目的を達成するために、この発明では、傾動シリンダを操作する傾動レバーで傾動を規制する部品の一部を構成するようにした。
【００１０】
具体的には、第１の発明では、傾動可能な荷役装置を有する荷役車両を前提とし、
上記荷役車両は、
伸縮動作により上記荷役装置を傾動させる傾動シリンダと、
上記傾動シリンダの伸縮動作を操作する脱着可能な傾動レバーを有する操作部と、
上記荷役装置に当接し該荷役装置が傾いた状態から元の状態へ戻るのを規制する傾動規制部とを備え、
上記操作部から外された上記傾動レバーが、上記傾動規制部の一部を構成する。
【００１１】
上記の構成によると、傾動レバーを操作して荷役装置を傾動させた後、その状態で保持するために傾動レバーを外し、この傾動レバーを傾動規制部の一部として利用するので、その間、傾動レバーを操作することができない。このため、傾動規制部を作動させたまま傾動レバーを操作して傾動シリンダを縮小させて荷役装置を傾動させることができないので、誤操作が確実に防止される。
【００１２】
第２の発明では、第１の発明において、
上記操作部は、キャブ外に設けられた操作盤である。
【００１３】
上記の構成によると、操作部の傾動レバーがキャブ外に設けられていることにより、傾動レバーをキャブ内からキャブ外の傾動規制部まで持って行く場合と比較して、傾動レバーの取扱いが容易になる。
【００１４】
第３の発明では、第１又は第２の発明において、
上記操作部から外された上記傾動レバー自身が、上記荷役装置に当接することで該荷役装置の動きを規制する規制ブロックとなるように構成されている。
【００１５】
上記の構成によると、荷役装置を傾けた状態で保持する際に、傾動レバーを外して傾動レバー自体を規制ブロックとして用いるので、その間傾動シリンダを操作できない。このため、確実に誤操作が防止される。
【００１６】
第４の発明では、第１又は第２の発明において、
上記操作部から外された上記傾動レバーが、上記荷役装置に当接する規制ブロックを固定するように構成されている。
【００１７】
上記の構成によると、荷役装置を傾けた状態で保持する際に、傾動レバーを外して傾動レバーで規制ブロックを固定するので、その間傾動シリンダを操作できない。このため、確実に誤操作が防止される。
【００１８】
第５の発明では、第１又は第２の発明において、
上記傾動規制部は、上記荷役装置の傾動を規制する起立状態とロックされた収納状態との間で切換可能構成され、
上記操作部から外された上記傾動レバーが、上記傾動規制部のロックを解除するように構成されている。
【００１９】
上記の構成によると、荷役装置を傾けた状態で保持する際に、傾動レバーを外して傾動レバーで傾動規制部のロック状態を解除するので、傾動レバーを外さない限り傾動規制部を起立状態にすることができず、確実に誤動作が防止される。
【００２０】
第６の発明では、第１乃至第５のいずれか１つの発明において、
上記荷役装置に設けられた開閉可能な開閉扉と、
伸縮動作により上記開閉扉を開閉させる開閉シリンダと、
上記操作部に設けられ、上記開閉シリンダの伸縮動作を操作する着脱可能な開閉レバーと、
上記開閉シリンダが縮小するのを防いで上記開閉扉が開いた状態から閉じ状態へ戻るのを規制する開閉規制部とを備え、
上記操作部から外された上記開閉レバーが、上記開閉規制部の一部を構成する。
【００２１】
上記の構成によると、開閉レバーを操作して開閉扉を開いた後、その状態で保持するために開閉レバーを外し、この開閉レバーを開閉規制部の一部として利用するので、その間、開閉レバーを操作することができない。このため、開閉規制部を作動させたまま開閉レバーを操作して開閉シリンダを縮小させて開閉扉を閉じることができないので、誤操作が確実に防止される。
【００２２】
第７の発明では、第１乃至第６のいずれか１つの発明において、
上記荷役装置は、レシーバタンクであり、
上記レシーバタンクの後端に開閉扉が設けられた吸引車である。
【００２３】
上記の構成によると、レシーバタンクを傾動させる傾動シリンダが設けられた吸引車において、傾動規制部による規制状態でレシーバタンクを降ろす誤操作が確実に防止される。
【発明の効果】
【００２４】
以上説明したように、本発明によれば、操作部から外された傾動レバーで傾動規制部の一部を構成するようにしたことにより、簡単な構成で確実に荷役装置の傾動規制を行うことができる。
【図面の簡単な説明】
【００２５】
【図１】本発明の実施形態にかかる吸引車を示す側面図である。
【図２】吸引車を示す背面図である。
【図３】操作パネル及びその周辺を示す拡大側面図である。
【図４】傾動シリンダ、傾動ストッパ及びその周辺を示す側面図である。
【図５】開閉シリンダ、開閉ストッパ及びその周辺を示す側面図である。
【図６】吸引車の油圧回路図である。
【図７】変形例１にかかる概略斜視図である。
【図８】変形例２にかかる概略斜視図である。
【発明を実施するための形態】
【００２６】
以下、本発明の実施形態を図面に基づいて説明する。
【００２７】
図１及び図２は、本発明の実施形態の荷役車両としての吸引車１を示し、この吸引車１は、走行可能なベース車両１０と、このベース車両１０に搭載される吸引装置２０とを備えている。ベース車両１０は、キャブ１１と、メインフレーム１２と、このメインフレーム１２の上に設けられたサブフレーム１３とを備えている。このサブフレーム１３上に上記吸引装置２０が固定されている。
【００２８】
詳しくは図示しないが、キャブ外の吸引装置２０は、ルーツブロワ、集塵装置などの吸引動作を行うための吸引ユニット２１を備え、この吸引ユニット２１がサブフレーム１３の前側に設けられている。吸引装置２０は、荷役装置としてのレシーバタンク２２を備えている。レシーバタンク２２は、ルーツブロワの吸引力を利用して吸引された物質を蓄える断面円形状容器であり、後端に開閉可能な円盤状の開閉扉２３が設けられている。
【００２９】
レシーバタンク２２は、サブフレーム１３後端に設けた傾動軸２２ａを中心に傾動（ダンプ）可能となっている。具体的には、レシーバタンク２２前側側方のサブフレーム１３に一端が揺動可能に連結された油圧シリンダよりなる傾動シリンダ２４の他端がレシーバタンク２２の側方に連結され、この傾動シリンダ２４を伸ばすことで、レシーバタンク２２を傾動軸２２ａを中心に後方へ傾けてダンプ操作可能となっている。傾動シリンダ２４は、左右一対設けられている。
【００３０】
同様に開閉扉２３は、図５に示すように、レシーバタンク２２後端上部に設けた開閉軸２３ａを中心に回動可能に構成されている。具体的には、レシーバタンク２２側方に一端が揺動可能に連結された油圧シリンダよりなる開閉シリンダ２５の他端が開閉扉２３の側方に連結され、この開閉シリンダ２５を伸ばすことで、開閉扉２３が開くようになっている。開閉シリンダ２５も左右一対設けられている。そして、開閉扉２３を開いてレシーバタンク２２をダンプすることで、レシーバタンク２２内の内容物を排出可能となっている。
【００３１】
吸引ユニット２１の左側面には、吸引装置２０を操作する操作部としての操作盤３０が設けられている。図３に拡大して示すように、操作盤３０には、傾動レバー３１、開閉レバー３２、アクセルレバー３３等が設けられている。傾動レバー３１により、傾動シリンダ２４の伸縮操作が行われ、開閉レバー３２により、開閉シリンダ２５の伸縮操作が行われるようになっている。
【００３２】
吸引車１は、図６に示す油圧回路４０を有し、ベース車両１０に設けた図示しないエンジンの回転を利用してＰＴＯ（動力伝達装置）４１を駆動し、ＰＴＯ４１により油圧ポンプ４２が駆動されるようになっている。油圧回路４０は、複動式の一対の傾動シリンダ２４を操作するための傾動操作用切換弁４３と、複動式の一対の開閉シリンダ２５を操作するための開閉操作用切換弁４４とを備え、傾動操作用切換弁４３が傾動レバー３１によって操作され、開閉操作用切換弁４４が開閉レバー３２によって操作されるようになっている。なお、油圧回路４０には、油タンク４５、リリーフ弁４６等も設けられている。
【００３３】
そして、アクセルレバー３３は、吸引装置２０の作業に合わせてエンジンの回転数を調整するものであり、このアクセルレバー３３は、操作盤３０に揺動可能に連結されている。一方、傾動レバー３１及び開閉レバー３２は、操作盤３０の下側から下方へ伸び、着脱可能となっている。
【００３４】
図４に拡大して示すように、吸引装置２０は、レシーバタンク２２が傾いたダンプ状態から元の水平状態へ戻すのを規制する傾動規制部（規制ブロック）としての傾動ストッパ５０を備えている。通常、傾動ストッパ５０は、サブフレーム１３に対して収納位置で固定されている。そして、傾動レバー３１を取り外し、傾動ストッパ５０の傾動ロック解除孔５１に挿入すると、傾動ストッパ５０のロックが解除され、傾動ストッパ５０が傾動レバー３１を中心に回動可能となっている。詳しくは図示しないが、例えばロック構造は、係合爪を有し、この係合爪が傾動レバー３１を挿入したときに係合孔との係合を解除されるようになっている。そして、傾動ストッパ５０が後方へ回動され、傾動後のレシーバタンク２２の底面側に当接した（又は傾動ストッパ５０の先端が傾動後のレシーバタンク２２の底面近傍に位置する）起立状態で規制位置となる。つまり、傾動レバー３１は、傾動ストッパ５０のロックを解除すると共に、その回動軸の役割も果たしている。この状態で、傾動ストッパ５０は、レシーバタンク２２が自重により下降するのを防止できるようになっている。
【００３５】
例えば傾動ストッパ５０は、特許文献１のように左右で連結棒によって連結してもよく、傾動レバー３１がこの連結棒のロックを解除するように構成すればよい。
【００３６】
また、図５に示すように、吸引装置２０は、開閉シリンダ２５が縮小するのを防いで開閉扉２３を開いた状態から閉じ状態へ戻すのを規制する開閉規制部としての開閉ストッパ５５を備えている。そして、操作盤３０から外された開閉レバー３２が、開閉ストッパ５５の一部を構成するようになっている。具体的には、レシーバタンク２２の左側面には、開閉規制用ブラケット５４が設けられている。開閉レバー３２は、通常、この開閉規制用ブラケット５４に対して収納位置でロックされた状態で固定されている。そして、開閉レバー３２を開閉ストッパ５５の開閉ロック解除孔５６に挿入すると、開閉ストッパ５５のロックが解除され、開閉ストッパ５５が開閉レバー３２を中心に回動可能となっている。開閉ストッパ５５のロック構造も傾動ストッパ５０と同様の構成とすればよい。そして、開閉ストッパ５５が前方へ回動され回動後の開閉シリンダ２５のシリンダチューブに当接した（又は傾動ストッパ５０の先端が回動後の開閉シリンダ２５のシリンダチューブ近傍に位置する）起立状態で規制位置となる。つまり、傾動レバー３１は、開閉ストッパ５５のロックを解除すると共に、その回動軸の役割も果たしている。
【００３７】
このように、開閉レバー３２を操作して開閉扉２３を開いた状態で、開閉レバー３２を取り外して開閉ストッパ５５のロックを解除すると共に、その回動軸とすることで、開閉扉２３の開閉操作を行うことができなくなる。このため、開閉ストッパ５５を起立させたまま開閉扉２３を閉じてしまうという誤動作を確実に回避することができる。
【００３８】
そして、開閉扉２３を開いた状態で、傾動レバー３１を操作してレシーバタンク２２を傾動させてダンプした後、その状態で保持するために傾動レバー３１を外し、この傾動レバー３１を傾動規制部の一部として利用するので、その間、傾動レバー３１を操作することができない。このため、傾動ストッパ５０を起立させたまま傾動シリンダ２４を縮小させてレシーバタンク２２を傾動させることができない。このため、傾動ストッパ５０を起立させたままレシーバタンク２２を降下させるという誤操作が確実に防止される。
【００３９】
したがって、本実施形態にかかる吸引車１によると、センサなどの検知手段を設けることなく、簡単な構成で確実にレシーバタンク２２の傾動規制及び開閉扉２３の開閉規制を行うことができる。
【００４０】
−変形例１−
図７は本発明の実施形態の変形例１を示し、傾動レバー１３１の構成が異なる点で上記実施形態と異なる。なお、以下の各変形例では、図１〜図６と同じ部分については同じ符号を付してその詳細な説明は省略する。
【００４１】
図７において、荷役装置１２２を簡略化して示している。荷役装置１２２は、上記実施形態のようなレシーバタンク２２であったり、塵芥収容箱、ダンプトラックの荷台等特に制限されない。荷役装置１２２は、傾動軸１２２ａを中心に図示しない傾動シリンダ２４で傾動可能となっている。
【００４２】
本変形例の傾動レバー１３１は、操作盤３０に略垂直に立てられており、脱着可能となっている。そして、操作盤３０から外された傾動レバー１３１自身をサブフレーム１３に起立させるように固定可能となっている。傾動レバー１３１は、この起立状態で荷役装置１２２に当接することで荷役装置１２２が下降するのを規制する規制ブロックとなる。
【００４３】
本変形例においては、荷役装置１２２を傾けたダンプ状態で保持する際に、傾動レバー１３１を外して傾動レバー１３１自体を規制ブロックとしてストッパとして用いるので、その間傾動シリンダ２４を操作できない。このため、確実に誤操作が防止される。
【００４４】
−変形例２−
図８は本発明の実施形態の変形例２を示し、規制ブロックの固定構造が異なる点で上記変形例１と異なる。
【００４５】
すなわち、操作盤３０から外された傾動レバー２３１が、荷役装置１２２に当接する規制ブロック２５０を固定する固定軸となる。本変形例でも、荷役装置１２２を傾けたダンプ状態で保持する際に、傾動レバー２３１を外して傾動レバー２３１で規制ブロック２５０を固定するので、その間傾動レバー２３１を用いて傾動シリンダ２４を操作できない。このため、確実に誤操作が防止される。
【００４６】
上記変形例１及び２において、荷役装置１２２に上記実施形態と同様の開閉扉２３を設けてもよい。
【００４７】
（その他の実施形態）
本発明は、上記実施形態について、以下のような構成としてもよい。
【００４８】
すなわち、上記実施形態では、荷役装置としてレシーバタンク２２について説明したが、これに限定されず、側方に操作レバーが配置され、その操作レバーで傾動（ダンプ）可能な荷役装置であれば特に限定されない。このため、荷役車両も吸引車、ダンプトラック、塵芥収集車等特に限定されない。
【００４９】
また、上記実施形態では、操作部としての操作盤３０は吸引ユニット２１の左側面に設けたが、右側面、背面など特に限定されず、場合によっては、操作部をキャブ１１内に設けてもよい。但し、操作部をキャブ１１外に設けた方が、傾動レバー３１や開閉レバー３２をキャブ１１内からキャブ１１外の傾動ストッパ５０や開閉ストッパ５５まで持って行く場合と比較して取扱いが容易になる。
【００５０】
なお、以上の実施形態は、本質的に好ましい例示であって、本発明、その適用物や用途の範囲を制限することを意図するものではない。
【符号の説明】
【００５１】
１      吸引車（荷役車両）
１０      ベース車両
１１      キャブ
１２      車体フレーム
１３      サブフレーム
２０      吸引装置
２１      吸引ユニット
２２      レシーバタンク（荷役装置）
２２ａ    傾動軸
２３      開閉扉
２３ａ    開閉軸
２４      傾動シリンダ
２５      開閉シリンダ
３０      操作盤（操作部）
３１      傾動レバー
３２      開閉レバー
３３      アクセルレバー
４０      油圧回路
４１      ＰＴＯ
４２      油圧ポンプ
４３      傾動操作用切換弁
４４      開閉操作用切換弁
４５      油タンク
４６      リリーフ弁
５０      傾動ストッパ（傾動規制部、規制ブロック）
５１      傾動ロック解除孔
５４      開閉規制用ブラケット
５５      開閉ストッパ（開閉規制部）
５６      開閉ロック解除孔
１２２      荷役装置
１２２ａ    傾動軸
１３１      傾動レバー
２３１      傾動レバー
２５０      規制ブロック
【図１】
2014169062.tif 000003
【図２】
2014169062.tif 000004
【図３】
2014169062.tif 000005
【図４】
2014169062.tif 000006
【図５】
2014169062.tif 000007
【図６】
2014169062.tif 000008
【図７】
2014169062.tif 000009
【図８】
2014169062.tif 000010